(57)【要約】本発明は、少なくとも２つの変換ユニット（１４）による電気エネルギー変換方法及びシステムに関するものであり、動作可能な変換モジュールの最大出力電流を確立すると共に、動作可能な変換モジュールの全体又は部分集合の転流周波数を確立する制御手段（１２）を備え、それにより、故障時における変換システムの有用性を向上させる。【選択図】図２
2014526878.tif 000002
【特許請求の範囲】
【請求項１】
少なくとも２つの変換ユニット（１４）を備える電気エネルギー変換システムであって、各変換ユニット（１４）は、エネルギーグリッド（１５）に接続されるように構成される第１の変換モジュール（８）と、エネルギー生成装置（１３）と接続されるように構成される第２の変換モジュール（９）と、を備え、前記電気エネルギー変換システムは、さらに制御手段（１２）を備え、
前記制御手段（１２）は、
前記電気エネルギー変換システムの前記変換ユニット（１４）の動作可能な数を検出し、
前記電気エネルギー変換システムの少なくとも１つの点での冷却剤の温度を測定し、
前記変換ユニット（１４）の動作可能な数及び冷却剤入力温度に応じて少なくとも１つの動作可能な変換モジュールにおける転流周波数を算出及び確立し、
前記冷却剤の温度及び前記転流周波数に応じて各変換モジュールの最大出力電流を確立し、
前記変換モジュールは、前記制御手段（１２）により確立される周波数において動作するように構成されることを特徴とするシステム。
【請求項２】
前記制御手段（１２）は、前記変換ユニット（１４）の全てに接続される単一のコントローラであることを特徴とする請求項１に記載の変換システム。
【請求項３】
前記制御手段（１２）は、複数の独立したコントローラを備え、前記独立したコントローラのそれぞれは、前記変換ユニット（１４）に接続されることを特徴とする請求項１に記載の変換システム。
【請求項４】
前記第１の変換モジュール（８）及び前記第２の変換モジュール（９）は、４つの正方形状の構成及びパッシブ構成から選択される構成を有することを特徴とする請求項１から３のいずれか一項に記載の変換システム。
【請求項５】
電気エネルギー変換方法であって、
動作可能な変換ユニットの数を検出するステップと、
動作可能である前記変換ユニットを形成する変換モジュールの最大出力電流の需要を確立するステップと、
変換システムの少なくとも１つの点における冷却材の温度を測定するステップと、
動作可能な前記変換ユニットの数及び前記冷却材の温度に応じて少なくとも１つの動作可能な変換モジュールの転流周波数を算出及び確立するステップと、
を備える変換方法。
【請求項６】
動作可能な前記変換モジュールは、制御手段により確立される前記転流周波数において動作することを特徴とする請求項５に記載の変換方法。
【請求項７】
動作可能な前記変換ユニット（３）の前記最大出力電流を確立するステップは、全ての動作可能な前記変換ユニット（３）の前記最大出力電流を同期可能な手段で確立することを含むことを特徴とする請求項５又は６に記載の変換方法。
【請求項８】
動作可能な前記変換ユニット（３）の前記最大出力電流を確立するステップは、全ての動作可能な前記変換ユニット（３）の前記最大出力電流を独立に変更することを含むことを特徴とする請求項５から７のいずれか一項に記載の変換方法。
【発明の詳細な説明】
【技術分野】
【０００１】
本発明は、電気エネルギー供給の分野に適用され、より具体的には、供給グリッド内の電気エネルギー変換器及びエネルギーを生成及び消費する装置に適用されるものである。
【背景技術】
【０００２】
エネルギー生成専用の産業、特に再生可能エネルギー産業は、非常に大きな電力による電気エネルギー変換システムを必要とする。高電力変換システムを得るために、一般的な技術の１つは、一度にいくつかの変換ユニットを使用することであり、Ｎ個のユニットに対する総電力は、各変換ユニットの電力のＮ倍に等しい電力が得られる。変換ユニットは、交流電流（ＡＣ）又は直流電流（ＤＣ）である入力電気エネルギーを、その出力に重畳される特性に適合する電気機器として定義され、前記出力は、負荷又はエネルギー排出点に接続される。
【０００３】
一度に必要となるいくつかの変換ユニットを使用する主な理由は、変換モジュールである。一般的に、各変換モジュールは、生成器（マシン側モジュール）に接続される変換モジュール及びエネルギーグリッド（グリッド側変換モジュール）に接続される変換モジュールにより、形成される。各モジュールは、絶縁ゲートバイポーラトランジスタ（ｉｎｓｕｌａｔｅｄ  ｇａｔｅ  ｂｉｐｏｌａｒ  ｔｒａｎｓｉｓｔｏｒ（ＩＧＢＴ））、集積ゲート転流サイリスタ（Ｉｎｔｅｇｒａｔｅｄ  Ｇａｔｅ  Ｃｏｍｍｕｔａｔｅｄ  Ｔｈｙｒｉｓｔｏｒ（ＩＧＣＴ））及び注入促進型絶縁ゲートバイポーラトランジスタ（ｉｎｊｅｃｔｉｏｎ  ｅｎｈａｎｃｅｄ  ｉｎｓｕｌａｔｅｄ  ｇａｔｅ  ｂｉｐｏｌａｒ  ｔｒａｎｓｉｓｔｏｒ（ＩＥＧＴ））のようなパワー半導体により形成され、これは、出力において１つが所望される瞬間平均値の電圧を得るために、高周波転流により入力電圧を降伏する。
【０００４】
故障時に他のユニットから隔離されることができる必要な非接続素子を有する変換ユニットをもたらすいくつかの変換ユニットを有する完全なシステムを提供する。故障が発生した場合、つまり、変換ユニットの動作が停止し（例えば、変換モジュールの少なくとも１つが故障した）、必要とされる出力電流を生成できない場合、システムが全体で生成することができる最大電力は、係数１／Ｎにより減少する。
【０００５】
しかし、係数１／Ｎを低減する変換ユニットの数が増加した場合、システムの複雑さと共に、そのコスト及び実装するために必要な空間も増大する。同様に、変換ユニットのいずれかで故障が発生する可能性が増大する。
【０００６】
特に、維持の困難性及び利用可能性を損なうエネルギーの大幅な損失による問題が増大する新たな沖合風力エネルギー生成位置のブームによる非常に増大した改善された利用可能性を有する高電力変換システムの要求が増大する。したがって、異なるアプリケーションシステム及び方法は、変換システムの利用可能性を増大させる目的で開発されている。
【０００７】
ＵＳ２００６／０２１４４２８は、他の変換ユニットのいくつかが機能しない場合に使用されるリザーブ変換ユニットにより提供される変換システムを開示する。
【０００８】
この文献の解決手段は、システムの変換ユニットの数を増加させることを含み、このシステムは、増大する複雑さ、コスト及び必要とされる空間を含む明らかな欠点を有する。この欠点は、変換システムが風力生成器のナセルに配置される風力タービンを悪化させ、空間は、ナセルを囲んで用いられる材料のコストが高いことにより非常に制限される。
【０００９】
また、上記の文献の解決手段は、非効率な利用を含んでおり、これは、リザーブユニットが、他の変換ユニットのいくつかが故障している時のみに作動し、単一の変換ユニットの故障のみを補償できるためである（より多くのユニットの故障が補償される場合、いくつかのリザーブユニットの実装が必要となり、上述した欠点がさらに悪化する）。
【００１０】
また、ＷＯ２００９／０２７５２０は、ネットワークコードにより要求される低電力要因によって、グリッド側モジュールが出力電流において有する増加の利点を有する。
【００１１】
そのために、これは、全ての変換ユニットがＤＣに接続され、異なる変換ユニットの状態に応じてマシン側変換モジュール又はグリッド側変換モジュールとして機能することができる変換システムを有する。
【００１２】
この発明は、変換ユニットのいずれかが機能しない場合に、変換システムは、想定されるグリッド要求に一致する十分な容量を有することができないという欠点を有する。
【００１３】
また、これは、全ての変換モジュールをグリッド側変換モジュールにおいて要求される要求に一致するサイズにさせ、複雑さ及びコストを増大させ、その結果、後者が、マシン側変換モジュールとして動作するときに、リソースの非効率な利用をもたらす。
【発明の概要】
【発明が解決しようとする課題】
【００１４】
本発明は、公称条件で動作すると考えられる、必要とする変換システムによってより利用しやすい変換システムを提供することを目的とする。
【００１５】
したがって、より利用しやすく、必要とする空間が少なく、電気エネルギー変換システムを形成する変換ユニットのいくつかの故障状態に適合することができ、変換ユニットの数又はパフォーマンスを増大させずに、リソースの効率の良い利用を行う電気エネルギー変換システムが求められている。
【課題を解決するための手段】
【００１６】
本発明は、変換ユニットのいくつかが動作を停止した（部分的に又は完全に、つまり、変換ユニットが、割り当てられた最大電流を生成することができない）ときに、電気エネルギーコンバータを形成する変換モジュールの最大出力電流に適合する電気エネルギーコンバータによって前述した課題を解決するものである。したがって、本発明は、特に、エネルギー変換器専用の空間が非常に制限される風力エネルギー生成システムにおいて有用であるが、他の環境にも適用可能である。
【００１７】
本発明の第１の態様は、少なくとも２つの変換ユニット（を備える電気エネルギー変換システムを提供し、それぞれは、エネルギーグリッド（これは、簡素化のために、実施形態ではグリッド側モジュールと呼ばれる）に接続されるのに適した第１の変換モジュールと、エネルギー生成装置（これは、実施形態ではマシン側モジュールと呼ばれる）に接続されるのに適した第２の変換モジュールと、を備える。各変換モジュールは、最大出力電流を有し、したがって、システムの最大電力は、前記最大電流により求められる。
【００１８】
システムが、変換ユニットのいくつかで故障が発生し、割り当てられた最大出力電流を生成することができない状態に適合することができるようにするために、前記システムは、動作可能な変換モジュールの最大出力電流を確立すると共に、動作可能な変換モジュールの全体又は一部分の転流周波数を確立する制御手段を備え、これにより、故障時の変換システムの有用性が向上する。
【００１９】
前記最大出力電流を確立するために、前記システムは、
システムの動作可能な変換ユニットの数を検出し、
変換システムの少なくとも１つの代表的な点において冷却材の温度を測定し、
動作可能な変換の数及び冷却材の温度に応じて少なくとも１つの動作可能な変換モジュールにおける転流周波数を算出及び確立し、
冷却材の温度及び転流周波数に応じて各変換モジュールの最大出力電流を確立することに適した制御手段を含み、
変換モジュールは、制御手段により確立された周波数で動作するように構成される。
【００２０】
好ましくは、制御手段は、同期された手段でそれらを形成する変換モジュールの最大出力電流を確立する全ての変換ユニットに接続される単一のコントローラ、又はそれぞれが変換ユニットと接続され、隔離された手段で制御する複数の独立したコントローラのいずれかである。
【００２１】
好ましい実施形態では、冷却材の温度を測定するための変換システムの代表的な箇所（ポイント）は、変換モジュールの少なくとも１つの入口である。
【００２２】
変換システムは、マシン側モジュール及びグリッド側モジュール構成に対して有効であり、２つの好ましいオプションは、４つの正方形の構成（４Ｑ）及びパッシブ構成である。
【００２３】
本発明の第２の態様は、以下のステップを備える電気エネルギー変換方法を示し、
動作可能な変換ユニットの数を検出するステップと、
動作可能である変換ユニットを形成する変換モジュールの最大出力電流の需要を確立するステップと、
変換システムの少なくとも１つの点における冷却材の温度を測定するステップと、
動作可能な前記変換ユニットの数及び前記冷却材の温度に応じて少なくとも１つの動作可能な変換モジュールの転流周波数を算出及び確立するステップと、を備える。
【００２４】
好ましい実施形態では、動作可能な変換モジュールは、制御手段により確立された転流周波数で動作する。
【００２５】
２つの好ましいオプションは、変換モジュールでの作動を同期することに対して示され、全ての動作可能な変換ユニットの最大出力電流を同期可能な手段で確立すること、全ての動作可能な変換ユニットの最大出力電流を独立に変更することを含む。
【００２６】
したがって、変換ユニットのいくつかの故障状態に適合する本方法及びシステムにより、故障により生じる出力電力の低下を部分的に又は完全に補償し、変換ユニットの数を増加させる又はリザーブユニットを用いることがなく、これにより、空間及びコンバータに必要となる構成要素の低減が実現される。本発明の上記及び他の利点は、詳細な説明の記載からより良く理解される。
【図面の簡単な説明】
【００２７】
好ましい実施形態に係る本発明の特徴のより良い理解、及び発明の詳細な説明の補足のために、図示され、制限されない以下の図面は、不可欠な部分として添付される。
【図１】図１は、１つの位相ごとに３つの転流セルにより形成される、技術の状態に係る従来の２つのレベルのＤＣ／ＡＣコンバータを示す。
【図２】図２は、本発明の好ましい実施形態に係る４つの変換ユニットを有するエネルギー変換システムを示すと共に、相互作用の一例としてエネルギーグリッド及びエネルギー生成装置を示す。
【図３】図３は、グリッドフィルタのＲＣをシェアする２つの変換ユニットを有する本発明の別の好ましい実施形態に係る電気エネルギー変換システムを示す。
【発明を実施するための形態】
【００２８】
本明細書では、用語“備える（ｃｏｍｐｒｉｓｅｓ）”及びその派生語（例えば、“備え（ｃｏｍｐｒｉｓｉｎｇ）”等）は、排除する手段として解釈されない、つまり、これらの用語は、他の構成要件、ステップ等を含むように説明及び定義される可能性を排除するものとして解釈されるものではない。
【００２９】
同様に、変換ユニットの決定された数及びシステムの入出力電圧の特定の特性を有する一連の好ましい実施形態に基づいて本発明の詳細な説明がなされるが、後者は、変換ユニットの任意の他の数に対しても有効であると共に、システムの任意の他の入出力構成に対しても有効であることに留意すべきである。
【００３０】
また、本発明における冷却材（例えば、水）について言及する場合には、概念が、空冷システムであってもよいシステムに対して推定されるのではない流体冷却変換システムを排除するように限定されるものではないと理解されるべきである。
【００３１】
図１は、２つのレベルのＤＣ／ＡＣトポロジーを有する従来のエネルギー変換モジュール１を示す。変換モジュール１は、アクティブ位相と同数の転流セル３により形成され、これらの転流セル３は、複数のパワー半導体２により形成される（この例では、２つのレベルのシステムであるため、転流セル３ごとに２つの半導体２がある）。各転流セル３は、対応するアクティブフェーズで必要な平均瞬間電圧をＡＣ出力４において修復する役割を果たす。最後に、半導体２は、ＤＣ入力電圧５を降伏する。
【００３２】
ＩＧＢＴをオンに切り替えると、パワー半導体２のコレクタとエミッタとの間の電圧が０に近づく値へ減少する一時的な状態が現れる一方で、半導体２を流れる電流は、所望の値に増加する。ＩＧＢＴをオフに切り替えると、電圧は、ＤＣ入力電圧５及び電流が０に減少するまで増加する。最終的に、ダイオードをオフに切り替えると、電圧は、約０からＤＣ入力電圧５以下に減少し、電流は、遷移時に流れる電圧に対応する値から０へ減少する。
【００３３】
全てのこれらの一時的な状態は、転流損失と呼ばれるパワー半導体２の転流におけるエネルギー消失を生じる。
【００３４】
その導電動作時にも、与えられた電流に対して、半導体２のコレクタとエミッタとの間に発生する電圧降下に依存するエネルギー損失が存在する。このエネルギー消失は、導電損失と呼ばれる。
【００３５】
変換モジュール１の転流損失に対して、転流期間のパワー半導体２の平均電力損失は、以下のように表される。
【数１】
2014526878.tif 000003
【００３６】
ここで、Ｐａｖは、平均電力損失、Ｆｓｗは転流周波数、Ｖ，Ｉは、半導体２において消失される瞬間電力である。
【００３７】
各パワー半導体２において消失される電力は、熱に変換され、半導体２の動作温度を上昇させる。その電力損失による半導体２において生成された熱損失は、通常、３次元形状システムを考慮した有限要素により算出される。
【００３８】
変化しない状態での簡素化されたモデルにより、半導体２の接続のための温度は、以下の式により表される。
【数２】
2014526878.tif 000004
【００３９】
ここで、ＰａｖＩＧＢＴは、ＩＧＢＴにおける平均電力損失であり、ＰａｖＦＷＤは、ダイオードにおける平均電力損失であり、Ｒｔｈｈａは、ラジエーターが有する熱抵抗であり、Ｒｔｈｃｈは、半導体２の冷却プレートの熱抵抗であり、Ｒｔｈｊｃは、冷却プレートとシリコン接続との熱抵抗であり、ＴＡは、室温である。
【００４０】
説明された式により、パワー半導体２により要求されるどの程度の温度が、転流周波数に直接的に関連する平均電力に依存するかが観察される。ラジエーター及び具体的なＩＧＢＴを有する、与えられた変換モジュールについて、これは、ラジエーターの温度に依存し、水冷ラジエーターの場合、冷却水の温度に依存する。
【００４１】
パワー半導体２は、最大動作温度（１２５℃が通常値）で製造される。しかし、半導体２の寿命を長くする目的のために、半導体２は、最大安全温度（通常値は１１５℃）を超えることを許容されない。
【００４２】
この最大安全温度は、設計された最大電流を下回る半導体２の出力電流を制限し、したがって、変換モジュール１は、設計した最大出力電流を用いないことにより、電力を排出する容量を損なう。
【００４３】
１０８０Ｖの連続的な電圧を有する２．５ＫＨｚの転流周波数を有する変換モジュールが一例として採用される場合、１０００Ａ効率出力電流は、入力水温度が、説明されたモデルに基づいて５５℃であるときに、抽出される。
【００４４】
しかし、変換モジュール１の一部を形成する同一のパワー半導体は、設計により、１３５０Ａのこの例において、より大きな電流を排出することができる。同一条件下において、出力電流の増加は、ＩＧＢＴの接続における温度の増加を含み、（以下１１１℃から１２３℃の例による）したがって、パワー半導体２は、かけられた安全マージンが露見する。それにもかかわらず、出力電流（１３５０Ａ）を維持する転流周波数（２ＫＨｚ）を減少させることにより、温度の低下（１２３℃から１１３℃）も生じ、設計限界範囲内に戻る。
【００４５】
同様に、空冷における室温又は水冷温度のいずれかが低下した場合、接続の温度は、同様の比率で低下する。
【００４６】
この説明により、異なる変換モジュール１が対処することができる最大電流は、半導体２の転流周波数及び冷却剤の入力温度に完全にリンクすることを理解することができる。
【００４７】
図２は、本発明の好ましい実施形態に係るシステムの一例を示す。特に、システムは、４つの変換ユニット１４により形成され、各々は、グリッド側遮断器６、グリッドフィルタ７、第１のＡＣ／ＤＣ変換モジュール８、第２のＡＣ／ＤＣ変換モジュール９、ｄｖ／ｄｔフィルタ１０、マシン側遮断器１１及び制御手段１２を備える。そして、制御手段１２は、以下に説明するような、本発明の方法の好ましい実施形態を実装する。同様に、本実施例において、制御手段１２は、各変換ユニット１４において独立したコントローラを備えているが、全ての変換ユニット１４に接続された単一のコントローラを使用することも考慮される。
【００４８】
変換システムは、特に、一端をエネルギーグリッド１５に接続し、他端をエネルギー生成システム１３に接続するように構成される。エネルギー生成システム１３は、風力システムであってもよく、本発明から導かれる空間の節約が特に有用であるが、他のエネルギー生成システム１３でも効果的である。さらに、グリッド側及びマシン側の両方のコイルは、電気的に接続されなくてもよい。
【００４９】
システムの一部を形成する変換ユニット１４のいずれかが機能しない、つまり、要求される出力電流の提供ができない場合、制御手段１２は、他の動作可能な変換モジュールの出力電流を変更する。
【００５０】
冷却材の温度（例えば、入力水温度）が係数ΔＴにより低減される場合、接続における温度もまた、前記係数によって低減される。システムがＮ個の変換ユニット１４により形成されると仮定する場合、それらの各々は、Ｐｃｕの水に対する最大損失を排除する。変換システムの総損失（Ｐｔｏｔａｌ）は、Ｐｔｏｔａｌ＝Ｎ×Ｐｃｕである。
【００５１】
変換ユニットが機能しない場合、各変換ユニット１４の最大出力電流は、一定（４つのユニットを有するシステムに対して３ｘ１０００Ａ、及び４０００Ａの公称出力）に維持し、新たなシステムの水に対して排除された損失は、各変換ユニット１４の損失の（Ｎ−１）倍、つまりＰｔｏｔａｌ＝（Ｎ−１）×Ｐｃｕである。
【００５２】
したがって、ｋ（Ｋ／ｋＷ）の変換システムの交換器の入口と出口との熱損失差が存在すると仮定した場合、変換システムが、全ての動作可能な変換ユニット１４（４ｘ１０００Ａ＝４０００Ａの最大出力電流）を有するときには、環境に対する熱の差は、ΔＴ＝（Ｎ×Ｐｃｕ）×ｋである。
【００５３】
同様に、変換ユニット１４が機能しない場合（３×１０００Ａ＝３０００Ａの最大出力電流）には、環境に対する熱の差は、ΔＴ＝（（Ｎ−１）×Ｐｃｕ）×ｋである。
【００５４】
したがって、環境と変換ユニット１４が機能しない場合の冷却材との熱の差は、（ΔＴｎ−１）／ΔＴｎ＝（Ｎ−１）／Ｎに基づいて低減される。
【００５５】
新たな入力水温度を知ること、及び動作可能な変換モジュールにおいて必要とされる最大電流のニーズを知ることにより、その転流周波数は、算出することができる。当該転流周波数は、グリッド側変換モジュール８、マシン側変換モジュール９又はその両方において独立に変更することができる。
【００５６】
図３は、グリッドフィルタ７のＲＣ（抵抗及びコンデンサ）をシェアする２つの変換ユニット１４により形成される変換システム１６を示す。同様に、変換ユニット１４の両方は、グリッドフィルタ７全体にシェアされる。再び、２つの変換ユニット１４の一方の故障時では、故障時における変換システム１６の有用性を向上させるために、制御手段１２は、入力水温度に応じて動作可能な変換モジュール１４の転流周波数を決定し、動作可能な変換ユニット１４の最大出力電流を修復する。
【００５７】
各変換ユニット１４は、また、マシン側１１における遮断器及びＤＣ６の遮断器を備え、機能しない変換ユニット１４を遮断することを可能にする。
【００５８】
本明細書及び図面を考慮して、当業者は、本発明が、いくつかの好ましい実施形態によって説明されるが、いくつかの変更が、特許請求の範囲に記載された発明の範囲から逸脱しない範囲の好ましい実施形態で導かれうることを理解する。
【図１】
2014526878.tif 000005
【図２】
2014526878.tif 000006
【図３】
2014526878.tif 000007
【手続補正書】
【提出日】平成25年7月22日(2013.7.22)
【手続補正１】
【補正対象書類名】特許請求の範囲
【補正対象項目名】全文
【補正方法】変更
【補正の内容】
【特許請求の範囲】
【請求項１】
少なくとも２つの変換ユニット（１４）を備える電気エネルギー変換システムであって、各変換ユニット（１４）は、エネルギーグリッド（１５）に接続されるように構成される第１の変換モジュール（８）と、エネルギー生成装置（１３）と接続されるように構成される第２の変換モジュール（９）と、を備え、前記電気エネルギー変換システムは、さらに制御手段（１２）を備え、
前記制御手段（１２）は、
前記電気エネルギー変換システムの前記変換ユニット（１４）の動作可能な数を検出し、
各変換モジュールの最大出力電流の需要を確立し、
前記電気エネルギー変換システムの少なくとも１つの点での冷却剤の温度を測定し、
前記最大出力電流を生成する少なくとも１つの動作可能な前記変換モジュールにおける転流周波数を算出及び確立し、
前記変換モジュールは、前記制御手段（１２）により確立される周波数において動作するように構成されることを特徴とするシステム。
【請求項２】
前記制御手段（１２）は、前記変換ユニット（１４）の全てに接続される単一のコントローラであることを特徴とする請求項１に記載の変換システム。
【請求項３】
前記制御手段（１２）は、複数の独立したコントローラを備え、前記独立したコントローラのそれぞれは、前記変換ユニット（１４）に接続されることを特徴とする請求項１に記載の変換システム。
【請求項４】
前記第１の変換モジュール（８）及び前記第２の変換モジュール（９）は、４つの正方形状の４象限構成及びパッシブ構成から選択される構成を有することを特徴とする請求項１から３のいずれか一項に記載の変換システム。
【請求項５】
電気エネルギー変換方法であって、
動作可能な変換ユニットの数を検出するステップと、
動作可能である前記変換ユニットを形成する変換モジュールの最大出力電流の需要を確立するステップと、
変換システムの少なくとも１つの点における冷却材の温度を測定するステップと、
前記最大出力電流を生成する少なくとも１つの動作可能な前記変換モジュールの転流周波数を算出及び確立するステップと、
を備える変換方法。
【請求項６】
動作可能な前記変換モジュールは、制御手段により確立される前記転流周波数において動作することを特徴とする請求項５に記載の変換方法。
【請求項７】
動作可能な前記変換ユニット（３）の前記最大出力電流を確立するステップは、全ての動作可能な前記変換ユニット（３）の前記最大出力電流を同期可能な手段で確立することを含むことを特徴とする請求項５又は６に記載の変換方法。
【請求項８】
動作可能な前記変換ユニット（３）の前記最大出力電流を確立するステップは、全ての動作可能な前記変換ユニット（３）の前記最大出力電流を独立に変更することを含むことを特徴とする請求項５から７のいずれか一項に記載の変換方法。
【手続補正２】
【補正対象書類名】明細書
【補正対象項目名】００１９
【補正方法】変更
【補正の内容】
【００１９】
前記最大出力電流を確立するために、前記システムは、
システムの動作可能な変換ユニットの数を検出し、
冷却材の温度及び転流周波数に応じて各変換モジュールの最大出力電流の需要を確立し、
変換システムの少なくとも１つの代表的な点において冷却材の温度を測定し、
動作可能な変換の数及び冷却材の温度に応じて少なくとも１つの動作可能な変換モジュールにおける転流周波数を算出及び確立することに適した制御手段を含み、
変換モジュールは、制御手段により確立された周波数で動作するように構成される。
【国際調査報告】
2014526878.tif 000008
2014526878.tif 000009
2014526878.tif 000010
2014526878.tif 000011
2014526878.tif 000012
2014526878.tif 000013